(57)【要約】      （修正有）【課題】アームにワイパーを連結するための連結具を簡単で生産性の高い構造にする。【解決手段】アーム１の先端を肉厚部１１とし、肉厚部にピン挿通管衝え込み部１２を設け、連結具４を構成する保持部材５にピン９に回動自在に装着された連結部材６のピン挿通管を衝え込ことでアームと保持部材を連結するもので、連結部材を平行に配した一対の逆正三角形状板６２を一方の端部に設けた連結杆で連結して形成すると共に、逆正三角形状板の他方の端部に連結部材の回動を規制するストッパを設ける。【選択図】図２
2014061785.tif 000002
【特許請求の範囲】
【請求項１】
上辺に連結部材のピン挿通管抱え込み部に固定されたピン挿通管にピンを挿通するピン挿通孔と、ストッパー部材の立板に形成した突起を嵌合する突起嵌合孔とを設けた立壁を対向して設けた逆チャンネル型の保持部材に、
平行に配した逆正三角形状板の水平辺の一方端側には連結杆を配し、他方端側には前記逆正三角形状板の傾斜辺に向かって先端にはストッパーを突設したピン挿通管抱え込み腕を配してピン挿通管抱え込み部を形成し、該ピン挿通管抱え込み部には、管外周面の長手方向にピンの直径より僅かに幅狭とした長溝を形成した成るピン挿通管の長溝の開口辺の一方を、前記逆正三角形状板の斜辺と合致させ、他方の開口辺を前記ピン挿通管抱え込み部を形成するピン挿通管抱え込み腕の先端辺に一致させて両逆正三角形状板間に掛け渡して配する構成とした連結部材のピン挿通管の開口を前記した保持部材の立壁に設けたピン挿通孔に一致させて組み込み、保持部材のピン挿通孔から連結部材に固定したピン挿通管に向かってピンを貫通して該連結部材を保持部材内で回動自在となるよう装着するとともに、
矩形板の前方を敷板部とし、後方の左右両長側辺には、前記した連結部材受に形成したピン挿通管抱え込み腕のストッパーの回動を受け止めるストッパー受を先端に形成した延長杆と、その延長板の基部に外側に向かった突起を突出して成る立板を平行に配したストッパー部材の敷板部を連結部材下に位置させて配設する構成としたことを特徴とするアームとワイパーを連結する連結具。
【発明の詳細な説明】
【技術分野】
【０００１】
本発明は、アームにワイパーを連結する連結具に関するものである。
【背景技術】
【０００２】
アームとワイパーを連結するための連結具には、アームの先端の構造如何によっていろいろな型式のものがある。ワイパーをアームに連結する連結具は、アームの先端構造如何によってそれぞれ異なるものを使わなければならない。
【０００３】
そのアームについては、図９に示すように先端を肉厚部２２とし、その肉厚部２２には、ピン挿通孔２３を設け、そのピン挿通孔２３には肉厚部２２の底面からピン挿通孔の直径よりやや巾狭のピン誘導溝４を連通するピン挿通部２５を設けた型式の構成としたアーム２１が使われるようになった。
【０００４】
本発明の出願人は、前記した型式のアームにワイパーを連結する連結具について特開２００２−３０８０６３号公報に開示された発明を開発し、特許出願をしたことがある。
【０００５】
前記したアーム２１にワイパーを連結するための連結具４１は、図９に示すようにワイパー３１の主ステー３２の背中に保持部材４２と保持部材４２に組み込む連結部材４３とを以て、前記保持部材４２に組み込む連結部材４３を保持部材２４に回動自在に組み込むピン５１から成っている。
前記した型式のアーム２１とワイパー３１を連結する連結具４１は、連結具４１を構成する保持部材４２を底面を水矩形平面とした逆チャンネル型として形成し、水平矩形面の両長辺に対向壁を設け、その対向上辺にそれぞれ連結部材を回動自在に組み込むためのピン５１を挿通するピン挿通孔を対向して穿設し、その対向壁の先端に片寄って保持部材５に回動自在に組み込んだ前記連結部材４１の回動を阻止する突起挿通孔を対向して穿設した構成として形成し、その保持部材４２には、下辺を水平とした板を対設し、その板の先端側は背丈を低くし、後端側は背丈を高くし、対設した板の先端部の背丈を低くした側の先端の上辺に渡し板を配した形状とし、両側に配した板の背丈を低くした側の先端に片寄った側の下辺に切り込みを形成し、その込みの下辺をアール縁とした弾片状の突起形成部とし、弾片状の突起形成部の外面に突起を形成し、背丈を高くした側には端縁に片寄って、アーム２１の肉厚部２２に形成したピン挿通部２５と同形のピン挿通部を形成するとともに、該ピン挿通部には周面の長手方向を弦状の切欠を設けたガイド筒を掛け渡して成る連結部材を収容し、保持部材に収容した連結部材をピン５１を以て、保持部材のピン挿通孔と連結部材のピン挿通部に掛け渡した弦状切欠を設けたガイド筒を貫通し、該ピンの両端をカシメて、連結部材を保持部材に回動自在に装着した構成とした。
【０００６】
ところが、前記した連結具を構成する部材は、前記した構成から成る連結部材を前記した構成としたことにより、連結具の構造が難しい構造となり、生産性を高めるのに不十分な構造となる欠点を有することに気がついた。
【先行技術文献】
【特許文献】
【０００７】
【特許文献１】特開２００２−３０８０６３
【発明の概要】
【発明が解決しようとする課題】
【０００８】
先端を幅広の肉厚部とし、その肉厚部には、連結具の構成材である連結部材に固定したピン挿通管を抱え込むピン挿通管抱え込み部を形成し、そのピン挿通管抱え込み部には肉厚部の底面から傾斜面立ち上りを有して、ピン挿通管抱え込み部に達するピン挿通管の直径よりやや幅狭のピン誘導溝を設けた構成のアームにワイパーを連結するためのアームとワイパーを連結するための連結具を提供しようとするものである。
【課題を解決するための手段】
【０００９】
上辺に連結部材のピン挿通管抱え込み部に固定されたピン挿通管にピンを挿通するピン挿通孔と、ストッパー部材の立板に形成した突起を嵌合する突起嵌合孔とを設けた立壁を対向して設けた逆チャンネル型の保持部材に、
平行に配した逆正三角形状板の水平辺の一方端側には連結杆を配し、他方端側には前記逆正三角形状板の傾斜辺に向かって先端にはストッパーを突設したピン挿通管抱え込み腕を配してピン挿通管抱え込み部を形成し、該ピン挿通管抱え込み部には、管外周面の長手方向にピンの直径より僅かに幅狭とした長溝を形成した成るピン挿通管の長溝の開口辺の一方を、前記逆正三角形状板の斜辺と合致させ、他方の開口辺を前記ピン挿通管抱え込み部を形成するピン挿通管抱え込み腕の先端辺に一致させて両逆正三角形状板間に掛け渡して配する構成とした連結部材のピン挿通管の開口を前記した保持部材の立壁に設けたピン挿通孔に一致させて組み込み、保持部材のピン挿通孔から連結部材に固定したピン挿通管に向かってピンを貫通して該連結部材を保持部材内で回動自在となるよう装着するとともに、
矩形板の前方を敷板部とし、後方の左右両長側辺には、前記した連結部材受に形成したピン挿通管抱え込み腕のストッパーの回動を受け止めるストッパー受を先端に形成した延長杆と、その延長板の基部に外側に向かった突起を突出して成る立板を平行に配したストッパー部材の敷板部を連結部材下に位置させて配設する構成とした。
【発明の効果】
【００１０】
先端を肉厚部とし、その肉厚部にピン挿通孔を形成し、肉厚部の底面から、前記ピン挿通孔に達する傾斜立ち上り溝を形成したピン挿通部を有する型式のアームを回動自在に、且つ取り付け、取り外し自在にワイパー連結具に装着できる。
【図面の簡単な説明】
【００１１】
【図１】本発明にかかるアーム連結具を配設したワイパーの斜視図
【図２】アームを本発明にかかるアーム連結具に連結する状態の説明斜視図
【図３】本発明にかかるアーム連結具の構成部材の斜視図
【図４】本発明にかかるアーム連結具を構成する保持部材に装置する連結部材の一部を切欠した状態を示す斜視図
【図５】本発明にかかるアーム連結具の完成斜視図
【図６】本発明にかかるアーム連結具の完成した状態の保持部材の斜視図
【図７】本発明にかかるアーム連結部材にアームを連結する操作の説明斜視図
【図８】本発明にかかるアーム連結部材にアームを連結したときの連結具内の状態を示す斜視図
【図９】特開２００２−３０８０６３号公報に開示された発明の連結具にアームを連結する状態を示す斜視図
【実施例】
【００１２】
本発明は、アームにワイパーを連結する連結具に関する発明である。そのアーム構成は図２に示すように、アーム１は、先端を肉厚部１１とし、その肉厚部１１にはワイパーの連結具４を構成する保持部材５に回動自在に装着する連結部材６に固定されたピン挿通管を衝え込むピン挿通管衝え込み部１２と前記ピン挿通管衝え込み部１２に通ずる傾斜立ち上りピン挿通管誘導傾斜溝１３を該肉厚部１１の底板から該肉厚部１１の横複を横断して成る型式に形成されている。このアーム１にワイパー２を連結するために用いる連結具４は、図１に示すようにワイパー２の主ステー３の背中の中央部の平面部に固定するものであって、その連結具４の構成は、図２、図３に示すようにワイパーの主ステーの背中の中央部に固定する保持部材５と、該保持部材５に装着するピン挿通管７を配した連結部材６と、同じく該保持部材５に連結部材６と共に装着するストッパー部材８と保持部材５に連結部材６を配着するためのピン９から成る。
【００１３】
以下、前記連結具４を構成する部材の構造について説明する。
【００１４】
ワイパー２の主ステー３の背中の中央部の平面部に固定する連結具４の構成材である保持具５は、図２、図３に示すように水平矩形板５１の両長辺側に衝立状壁５２を平行に起立させた逆チャンネル型に形成する。
前記した平行に起立した衝立状壁５２の上辺側に、ピン挿通孔５３とストッパー部材８の立板８１に形成された突起８５とを貫通する貫通孔５４を対向して穿設する。
【００１５】
保持部材５に装置する連結部材６は、図２、図３に示すように、ピン挿通管７を抱持するピン挿通管抱え込み部６４を備えた構成から成っている。
【００１６】
連結部材６を構成するピン挿通管抱え込み部６４に抱持されるピン挿通管７は図４に示すように管外周面７１に、長手方向に沿ってピン９の直径より極く僅かに幅狭とした長溝７２を形成する構成とすると言う構成から成っている。
【００１７】
前記ピン挿通管７を抱持する連結部材６は、ピン挿通管受材を図２、図３、図４、図７に示すように、逆正三角形状板６２を平行に配し、前記した逆正三角形状板６２の水平辺６１の一方に連結杆６３を配し、水平辺６１の他方は、前記ピン挿通管７を抱え込むピン挿通管抱え込み部６４とするため、図３、図４に図示するように水平辺６１の先端部を、前記逆正三角形状板６２の傾斜辺に向かって折り返し状とし、その先端にはストッパー６５を突設した折り返し腕６６とし、その折り返し腕６６によってピン挿通管抱え込み部６４を形成し、そのピン挿通管抱え込み部６４には前記したピン挿通管７を、ピン挿通管７の外周面７１長手方向に沿って形成した長溝７２の開口辺の一方を、前記逆正三角形状板６２の斜辺６７と合致させ、他方の開口辺を前記折り返し腕６６の先端辺に一致させて両逆正三角形状板６２間に掛け渡して固定すると言う構成から成っている。
【００１８】
即ち、連結部材６は、前記連結部材６に配したピン挿通管７をピン挿通管抱え込み部６４に図２、図３、図４に示すように掛け渡すと言う構成から成っている。
【００１９】
ストッパー部材８は図３に示すように、矩形板８１の前方を敷板部８２とし、後方の左右両長側辺には、前記したピン挿通管受具である連結部材６に形成したピン挿通管抱え込み部６４を形成する折り返し腕６６のストッパー６５の回動を受け止めるストッパー受８３を形成した延長杆８４を備え、該延長板８４の延長基部には外側に向かった突起８５を突出して成る立板８６を平行に配したストッパー部材と言う構成から成っている。
【００２０】
前記連結具４を構成するための手順を説明する。
【００２１】
前記した構成から成る本発明の連結具４を構成する保持部材５の両衝立板５２の間に連結部材６を組み込む。その組み込みは保持部材５の両衝立板５２に穿設されたピン挿通孔５３の位置に連結部材６に形成されたピン挿通管抱え込み部６４との位置を一致させて配する。
次いで、保持部材５の衝立板５２の一方のピン挿通孔５３から連結部材６のピン挿通管抱え込み部６４を通して、ピン９を挿通し、ピン９の先端を連結部材６に配設されたピン挿通管７を貫通させて、連結部材６のピン挿通管抱え込み部６４から保持部材５の他方の衝立板５２のピン挿通孔５３に貫通し、ピン９の貫通先端をかしめる。これによって、連結部材６は保持部材５に回動自在に納まる。
【００２２】
次いで、ストッパー部材８をストッパー部材８に形成したストッパー受先端８３が、前記した保持部材５に装着された連結部材６のピン挿通管抱え込み部６４を形成するピン挿通管抱え込み腕６６のストッパー６５と合致するようストッパー部材８の敷板８２から差し込む。そして、ストッパー部材８の立板８６に外側に向かって突出された突起８５を、保持部材５の両衝立板５２に穿設された穴５４に嵌合する。これによってストッパー部材８は保持部材５に固着し、保持部材５からはずれないことになる。この状態は図５に示す状態となり、保持部材５中に納められた連結部材６、並びにストッパー部材は図６に示す状態で納まることになる。
【００２３】
上記した操作により本発明に係るアーム１とワイパー２を連結する連結具４の組み立てが完了する。
【００２４】
上記した操作によって組み立てが完了した連結具４を構成する保持部材５の水平矩形板５１をワイパー２の主ステー３の背中の中央部の平面部に従来通りの手段で固定することによって図１に示すようにワイパー２をアーム１に取り付けるための連結具４となる。
【００２５】
前記した連結具４を固定したワイパー２をアーム１に取り付ける操作手順を説明する。
【００２６】
まず、ワイパー２の主ステー３の背中に固定された連結具４の保持部材５からピン９により回動自在に装着された連結部材６を図２に図示するように引き起こす。この状態は、連結部材６を構成する先端に連結杆６３を介して平行に連結された立板である逆正三角形状板６２が起立することになる。
この状態で図７に示すように保持部材５に納められた連結部材６のピン挿通管抱え込み腕６６のストッパー６５がストッパー部材８の延長杆８４の先に形成されたストッパー受８３からはなれる。
この状態の連結部材６に平行に配した立板である逆正三角形状板６２の間に、アーム１の先端に形成した肉厚部１１を肉厚部に形成したピン誘導溝であるピン挿通管衝え込み部１２が連結部材６に配したピン挿通管７を衝えるように差し込ませ、その状態で前記溝を連結部材６に組み込んだピン挿通管７を衝え込ませる。
【００２７】
その操作終了後、連結部材６の先端を元の状態に押し倒す。
【００２８】
この操作により、連結部材６のピン挿通管抱え込み部６４を形成する挿通管抱え込み腕６６は、ストッパー部材８の延長杆８４方向に回動し、前記ピン挿通管抱え込み部を構成するピン挿通管抱え込み腕６６に形成されたストッパー６５は前記ストッパー部材８の延長杆に形成したストッパー受８３に受け止める機能を発揮することになる。この状態を図８に示す。
これによって、アーム１とワイパー２の連結は完了する。
【００２９】
この状態としたときアームの先端の肉厚部１１に形成したピン挿通管抱え込み部１２に連結部材５に配置されたピン９を挿通したピン挿通管７を衝え込むことになる。この状態は、前記ピン挿通管７の長溝の切欠開口を前記ピン挿通管抱え込み部１２に通ずる立ち上り傾斜面をもつピン挿通管誘導傾斜溝１３に向けて抱え込まれることになる。
この状態の下で、アーム１のピン挿通部を形成する前記誘導溝の傾斜面と、該ピン９を貫通した弦状に切欠いたピン挿通管の弦状欠部である長溝を合致させて、アーム１を前記した長溝弦状に切欠いたピン挿通管に向かって押し下げることによって、アーム１のピン挿通管抱え込み部のピン挿通管５に該長溝を弦状に切欠いたピン挿通管をはめ込むことができる。アーム１のピン挿通管抱え込み部の誘導溝は、ピン挿通管３の直径より巾狭に出来ているので、ピン挿通管３を挿通して貫通した弦状に長溝を切欠いたピン挿通管はアームのピン挿通管抱え込み部からはずれないようになる。
【００３０】
アーム１に連結したワイパー２をアーム１から取り外すときは、アーム１にワイパー２を取り付ける操作について記載した前記の手順とは反対の操作を行うことにより、保持部材に回動自在に配設された連結部材のピン挿通管抱え込み腕のストッパーを、保持具に組み込まれたストッパー部材の延長杆のストッパー受けから解除し、連結具を図１に示す状態に引き起こし、連結部材の立板の間からアームの先端の肉厚部を引き抜くことによって、ワイパーをレバーから引き離すことができる。
【符号の説明】
【００３１】
１      アーム
２      ワイパー
４      連結具
５      保持部材
６      連結部材
７      ピン挿通管
８      ストッパー部材
６２    逆正三角形状板
６５    ストッパー
６６    ピン挿通管抱え込み腕
８３    ストッパー受
８４    延長杆
【図１】
2014061785.tif 000003
【図２】
2014061785.tif 000004
【図３】
2014061785.tif 000005
【図４】
2014061785.tif 000006
【図５】
2014061785.tif 000007
【図６】
2014061785.tif 000008
【図７】
2014061785.tif 000009
【図８】
2014061785.tif 000010
【図９】
2014061785.tif 000011